(57)【要約】【課題】  広告掲載ホームページの内容を語彙解析し、抽出したキーワードを自動的に商用サイトに通知するネットワーク広告配信管理システム提供する。【解決手段】１以上の商用サイト３と、上記商用サイト３にリンクされた１以上のアフィリエイトサイト２と、上記アフィリエイトサイト２への広告の配信及び広告掲載料の支払い管理を行う広告配信管理サイト１とがネットワークに配置されているネットワーク広告配信管理システムであって、広告掲載ページの内容を語彙他の内容を解析しキーワードを抽出する手段と、前記抽出したキーワードを自動的に商用サイトに通知する手段を備え、商用サイトが通知したキーワードに合致した商品,サービス等のコンテンツ広告を表示することにより、掲載広告のクリック率や成約率を高める。【選択図】    図１
2005242753.tif 000002
【特許請求の範囲】
【請求項１】
１以上の商用サイト３と、上記商用サイト３にリンクされた１以上のアフィリエイトサイト２と、上記アフィリエイトサイト２への広告の配信及び広告掲載料の支払い管理を行う広告配信管理サイト１とがネットワークに配置されている広告配信管理ネットワークシステムであって、広告掲載ページの内容を語彙他の内容を解析しキーワードを抽出する手段と、前記抽出したキーワードを自動的に商用サイトに通知する手段を具備することを特徴とする広告配信管理ネットワークシステム。
【請求項２】
請求項１において、ユーザーは複数の通知先より、１以上選択し、前記抽出したキーワードを自動的に選択された商用サイトに通知することを特徴とする広告配信管理ネットワークシステム。
【請求項３】
請求項１または２において、前記抽出したキーワードを配信された広告中に明示（テキスト・画像・動画・音声・バーコード・その他一切のクリエイティブならびにその組み合わせ）することを特徴とする広告配信管理ネットワークシステム。
【請求項４】
請求項１〜３のいずれかにおいて、広告配信管理サイト１の配信広告に個々のアフィリエイトサイトの識別情報と個々の商用サイトの識別情報を含み、それぞれの広告をクリックした場合に経由したアフィリエイトサイト別・商用サイト別のクリック数をカウントし広告料金を計算することを特徴とする広告配信管理ネットワークシステム。
【請求項５】
請求項１〜４のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、該通信端末に対して少なくとも該広告掲載アフィリエイトサイトを識別するための個々のアフィリエイトサイト識別情報を付与すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末における広告掲載アフィリエイトサイトの識別情報を取込むように設定され、前記トランズアクションに基づき広告料計算する手段を具備することを特徴とする広告配信管理ネットワークシステム。
【請求項６】
請求項１〜５のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、該通信端末のＩＰアドレス,PROXYサーバ情報,ブラウザーのソフトウェア情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末のＩＰアドレス,PROXYサーバ情報,ブラウザーのソフトウェア情報を取得するように設定され、トランズアクション発生時取得した前記通信端末情報が前記アクセス時に取得された端末情報に含まれているか否かを判別し、該端末情報が含まれている場合に前記トランズアクションに基づき広告料計算する手段を具備することを特徴とする広告配信管理ネットワークシステム。
【請求項７】
請求項６において、トラッキングソフトが、トランズアクション発生時の前記端末情報が前記アクセス時に含まれていることを判断した場合において、通信端末をもって前記広告掲載サイト装置の広告を経由して前記商用サイト装置にアクセスしてから特定の時間内にあるか否かをも判別し、時間内にある場合に前記トランズアクションに基づき広告料計算する手段を具備することを特徴とする広告配信管理ネットワークシステム。
【請求項８】
請求項１〜４のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、該通信端末の端末識別情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末の端末識別情報を取得するように設定され、トランズアクション発生時取得した前記通信端末識別情報が前記アクセス時に取得された通信端末識別情報に含まれているか否かを判別し、該端末識別情報が含まれている場合に前記トランズアクションに基づき広告料計算する手段を具備することを特徴とする広告配信管理ネットワークシステム。
【請求項９】
請求項８において、トラッキングソフトが、トランズアクション発生時の前記通信端末識別情報が前記アクセス時に含まれていることを判断した場合において、通信端末をもって前記広告掲載サイト装置の広告を経由して前記商用サイト装置にアクセスしてから特定の時間内にあるか否かをも判別し、時間内にある場合に前記トランズアクションに基づき広告料計算する手段を具備することを特徴とするネットワーク広告配信管理システム。
【請求項１０】
請求項１〜４のいずれかにおいて、前記広告配信管理サイト１の配信広告に個々のアフィリエイトサイトの識別情報と個々の商用サイトの識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、前記商用サイト３に広告識別情報を通知し、前記商用サイト３は前記通知された広告識別情報をセッション情報もしくはURLの一部として保持し、通信端末をもってトランズアクション（商品サービス等の購入/予約・会員登録・資料/サンプル請求・アンケート/クイズ回答・その他一切のネット上アクションを含む）を行ったときに、該広告識別情報を取得するように設定され、トランズアクション発生時に取得した前記広告識別情報が含まれている場合に前記トランズアクションに基づき広告料計算する手段を具備することを特徴とする広告配信管理ネットワークシステム。
【発明の詳細な説明】
【技術分野】
【０００１】
本発明は、インターネット等を利用し、ＷＷＷページのバナー広告を介してオンラインショッピング等の電子商取引を行うシステムにおけるバナー広告の配信や料金管理を行う広告配信管理ネットワークシステムに関し、とくに、このシステムに含まれる広告配信管理サイト装置に関するものである。
【背景技術】
【０００２】
オンライン上の商用サイトへのアクセスを増大する手法として、インターネットの種々のサイトにバナー広告を掲載し、そのサイトにアクセスした顧客がそのバナー広告をクリックすることで商用サイトに接続されるようにする手法が近年増大している。かかるバナー広告利用による商用サイトへのトラフィックは近年急激に増大している。
【０００３】
広告バナーの配信に関る広告料金の設定に関しては  １）商品販売成果の有無にかかわらず単純に掲載期間に対して広告費用の支払いが行われるシステム、２）バナーの表示回数に対して広告費用の支払いが行われるシステム、３）バナーのクリック回数に対して広告費用の支払いが行われるシステム、４）バナーのクリックした後のサイト上でのアクションに基づく成功報酬により広告費用の支払いが行われるシステム、また１）２）３）４）の何れかの組み合わせに基づき広告費用の支払いが行われるシステムが知られている。
【０００４】
１）２）３）については、商用サイトで実際に商品の購入等が行われなくても、コストが発生するので、近年は成功報酬型の広告配信システムが近年注目されており、これはアマゾンドットコムが採用し一躍有名になり、通常はアフィリエイトプログラムと呼ばれている。つまり、顧客（ユーザー）がそのバナー広告を見て実際に商品を買った場合にだけ、その販売実績に応じた広告費用を払うというシステムである。
【０００５】
しかしながら、バナー広告自体のクリエイティブや実際に販売されている商品や価格に魅力がない場合、広告を掲載するアフィリエイトサイトは、十分な広告報酬を得ることができない。従い、アフィリエイトサイトは自身のコンテンツに合致した広告バナーや商品を選択したり、成績の上がらない場合には、広告バナーや商品を都度入れ換える必用がある。
【０００６】
一方で近年は検索サイトでの検索結果に連動する広告が注目を集めている。入力されたキーワードは、そもそもユーザーが関心を持っている内容を検索するために自発的に入力したものであるので、入力されたキーワードに関連する広告を表示すれば、クリック率や最終的な成約率は高まると考えられる。  広告掲載サイトならびに商用サイトの双方にメリットのあるシステムであるので、急激に普及している。Googleのアドワーズ、オーバーチュアー等が著名であり、通常はクリックによる広告料が発生する。
【０００７】
上記２つのシステムは確かに商用サイトへのトラフィックを増大させる効果を持つ。成功報酬型広告配信ではアフィリエイトサイトが掲載広告の選択することができるが、バナー広告自体のクリエイティブや実際に販売されている商品や価格に魅力がない場合、広告を掲載するアフィリエイトサイトは、十分な広告報酬を得ることができない。
【０００８】
そのため、アフィリエイトサイトは自身のコンテンツに合致した広告バナーや商品を選択する必要があるし、成績の上がらない場合には、広告バナーや商品を都度入れ換える必要がある。広告を入れ換えるためには、入れ換える広告ソースを生成するとともに、掲載ページのhtmlソースをその都度書き換える必要がある。これらは、いずれも手間がかかり面倒だという問題があった。
【０００９】
また近年は広告バナーの中には、商用サイトの検索ＢＯＸを含み、ユーザが自身で関心のあるキーワードを入力することができ、直接商用サイトの入力されたキーワードの検索結果のページが表示される。一方で近年は検索サイトでの検索結果に連動する広告が注目を集めている。入力されたキーワードは、そもそもユーザーが関心を持っている内容を検索するために自発的に入力したものであるので、入力されたキーワードに関連する広告を表示すれば、クリック率や最終的な成約率は高まると考えられる。広告掲載サイトならびに商用サイトの双方にメリットのあるシステムであるので、急激に普及している。Googleのアドワー,オーバーチュアー等が著名であり、通常はクリックによる広告料が発生する。大手検索サイトではアマゾン等書籍販売サイトの商品検索ボックスの広告バナーが表示され入力されたキーワードが表示されユーザーが送信ボタンを押すと直接関連書籍の販売ページが表示される。
【発明の開示】
【発明が解決しようとする課題】
【００１０】
しかし、検索ＢＯＸを含む広告バナーの場合には、ユーザーは関心のあるキーワードを逐一入力する必要がある。ユーザーにとって、これは面倒なことである。
【００１１】
この発明は、上記問題点に鑑みてなされたものであり、成功報酬型の広告配信シスムにて商品検索広告を合理的に配信する着想に基づき、広告掲載サイトの内容を自動的に語彙解析してキーワードを抽出するともに、抽出したキーワードを複数の商用サイトうちよりユーザーが選択した商品検索ＣＧＩ等に通知することにより、ユーザーはキーワードを検索ボックスに入力する必要がなく、アフィリエイトサイトは手間かけずに適切な広告を掲載することができ、広告収入を向上することができるようにすることを目的とする。また、広告主側には内容にマッチしたキーワードの検索結果のページを直接表示することで広告費用負担を削減し、さらに成約率を向上することをも目的とする。
【課題を解決するための手段】
【００１２】
上述の技術的課題を解決するため、第１発明に係る広告配信管理ネットワークシステムおいては、１以上の商用サイト３と、上記商用サイト３にリンクされた１以上のアフィリエイトサイト２と、上記アフィリエイトサイト２への広告の配信及び広告掲載料の支払い管理を行う広告配信管理サイト１とがネットワークに配置されている広告配信管理ネットワークシステムであって、広告掲載ページの内容を語彙他の内容を解析しキーワードを抽出する手段と、前記抽出したキーワードを自動的に商用サイトに通知する手段を具備する構成とした。
【００１３】
また第２発明においては、第１発明において、ユーザーは複数の通知先より、１以上選択し、前記抽出したキーワードを自動的に選択された商用サイトに通知する構成とした。
【００１４】
また第３発明は、第１または第２発明において、前記抽出したキーワードを配信された広告中に明示（テキスト・画像・動画・音声・バーコード・その他一切のクリエイティブならびにその組み合わせ）する構成とした。
【００１５】
また第４発明は、第１〜第３発明のいずれかにおいて、広告配信管理サイト１の配信広告に個々のアフィリエイトサイトの識別情報と個々の商用サイトの識別情報を含み、それぞれの広告をクリックした場合に経由したアフィリエイトサイト別・商用サイト別のクリック数をカウントし広告料金を計算する構成とした。
【００１６】
また第５発明は、第１〜第４発明のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、該通信端末に対して少なくとも該広告掲載アフィリエイトサイトを識別するための個々のアフィリエイトサイト識別情報を付与すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末における広告掲載アフィリエイトサイトの識別情報を取込むように設定され、前記トランズアクションに基づき広告料計算する手段を具備する構成とした。
【００１７】
また第６発明は、第１〜第５発明のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、該通信端末のＩＰアドレス,PROXYサーバ情報,ブラウザーのソフトウェア情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末のＩＰアドレス,PROXYサーバ情報,ブラウザーのソフトウェア情報を取得するように設定され、トランズアクション発生時取得した前記通信端末情報が前記アクセス時に取得された端末情報に含まれているか否かを判別し、該端末情報が含まれている場合に前記トランズアクションに基づき広告料計算する手段を具備する構成とした。
【００１８】
また第７発明は、第６発明において、トラッキングソフトが、トランズアクション発生時の前記端末情報が前記アクセス時に含まれていることを判断した場合において、通信端末をもって前記広告掲載サイト装置の広告を経由して前記商用サイト装置にアクセスしてから特定の時間内にあるか否かをも判別し、時間内にある場合に前記トランズアクションに基づき広告料計算する手段を具備する構成とした。
【００１９】
また第８発明は、第１〜第４発明のいずれかにおいて、前記広告配信管理サイト１の配信広告に個々のアフィリエイトサイト２の識別情報と個々の商用サイト３の識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、該通信端末の端末識別情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末の端末識別情報を取得するように設定され、トランズアクション発生時取得した前記通信端末識別情報が前記アクセス時に取得された通信端末識別情報に含まれているか否かを判別し、該端末識別情報が含まれている場合に前記トランズアクションに基づき広告料計算する手段を具備する構成とした。
【００２０】
また第９発明は、第８発明において、トラッキングソフトが、トランズアクション発生時の前記通信端末識別情報が前記アクセス時に含まれていることを判断した場合において、通信端末をもって前記広告掲載サイト装置の広告を経由して前記商用サイト装置にアクセスしてから特定の時間内にあるか否かをも判別し、時間内にある場合に前記トランズアクションに基づき広告料計算する手段を具備する構成とした。
【００２１】
また第１０発明は、第１〜第４発明のいずれかにおいて、前記広告配信管理サイト１の配信広告に個々のアフィリエイトサイトの識別情報と個々の商用サイトの識別情報を含み、通信端末をもって前記広告掲載アフィリエイトサイト２の広告を経由して前記商用サイト装置にアクセスする際に、前記広告配信管理サイト１は、通信端末をもって前記広告掲載アフィリエイトサイト２の広告を経由して前記商用サイト３にアクセスする度に、前記商用サイト３に広告識別情報を通知し、前記商用サイト３は前記通知された広告識別情報をセッション情報もしくはURLの一部として保持し、通信端末をもってトランズアクション（商品サービス等の購入/予約・会員登録・資料/サンプル請求・アンケート/クイズ回答・その他一切のネット上アクションを含む）を行ったときに、該広告識別情報を取得するように設定され、トランズアクション発生時取得した前記広告識別情報が含まれている場合に前記トランズアクションに基づき広告料計算する手段を具備する構成とした。
【発明の効果】
【００２２】
この発明によれば、広告掲載ページの語彙他の内容を解析しキーワードを抽出し、抽出したキーワードを広告バナーの商品検索ボックスに表示するので、広告のクリック率や成約率が向上する。ユーザーは都度キーワードを検索ボックスに入力する必用が無くなる。
【００２３】
また、広告掲載ページの語彙他の内容を解析しキーワードを抽出し、抽出したキーワードを広告バナーの商品検索ボックスに表示するとともに、キーワードの通知先を複数の商用サイトより選択できるので、広告のクリック率や成約率が向上する。ユーザーは都度キーワードを検索ボックスに入力する必用が無くなる。またアフィリエイトサイトはわざわざページ毎に適切な広告を選択したり、不効率な広告を入れ換えるなど、都度広告バナーのソースを生成し、htmlファイルに記述する必要がなくなる。
【００２４】
また、広告配信管理サイトがアフィリエイトサイト別の広告主別のクリック記録ならびにそれに基づく広告料計算が行われる。
【００２５】
また、広告配信管理サイトが、ネットワークを通じて、通信端末に対する広告掲載サイト装置識別情報の付与、通信端末からの広告掲載サイト装置識別情報取込み機能を発揮できることを利用し、その情報をトラッキングソフトに利用することにより、商用サイトに対して通信端末をもってトランズアクション（商品サービス等の購入/予約・会員登録・資料/サンプル請求・アンケート/クイズ回答・その他一切のネット上アクションを含む）を行ったときに、該通信端末における広告掲載アフィリエイトサイトの識別情報を取込む実際に商品等の購入意思表示をした顧客が広告掲載サイト装置を通じて商用サイト装置にアクセスしたか否かを的確に確認することができることになる。
【００２６】
また、通信端末をもって前記広告掲載アフィリエイトサイト２の広告を経由して前記商用サイト装置にアクセスする際に、前記商用サイト３は、通信端末をもって前記広告掲載アフィリエイトサイト２の広告を経由して前記商用サイト３にアクセスする度に、該通信端末のＩＰアドレス,PROXYサーバ情報、ブラウザーのソフトウェア情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末のＩＰアドレス,PROXYサーバ情報,ブラウザーのソフトウェア情報を取得するように設定され、トランズアクション発生時に取得した前記通信端末情報が前記アクセス時に取得された端末情報に含まれているか否かを判別することとしていることから、広告配信管理サイト装置は、ネットワークを利用することにより、通信端末のアドレスを所望のタイミングを捉えて得、その得たアドレスを比較判断することになり、通信端末に対する広告配信管理サイト装置による顧客識別情報や広告掲載サイト装置識別情報等の付与が通信端末において拒否されている場合であっても、顧客が広告掲載サイト装置を通じて商用サイト装置にアクセスしその顧客自身が商用サイト装置の提供する商品等を実際に購入したか否かを的確に確認することができることになる。
【００２７】
また、トラッキングソフトが、商品等の購入意思表示時のアドレスがアドレス群に含まれていることを判断した場合において、通信端末をもって広告掲載サイト装置の広告を経由して前記商用サイト装置にアクセスすることを意思表示してから特定の時間内にあるか否かをも判別するように設定されていることから、実際に商品等の購入に貢献した広告掲載サイト装置の特定の精度を高めることができることになる。
【００２８】
また、前記広告配信管理サイト１は、通信端末をもって前記広告掲載アフィリエイトサイト２の広告を経由して前記商用サイト３にアクセスする度に、該通信端末の端末識別情報を保存すると共に、前記商用サイト３に対して通信端末をもってトランズアクション（商品サービス等の購入/予約・会員登録・資料/サンプル請求・アンケート/クイズ回答・その他一切のネット上アクションを含む）を行ったときに、該通信端末の端末識別情報を取得するように設定され、トランズアクション発生時取得した前記通信端末識別情報が前記アクセス時に取得された通信端末識別情報に含まれているか否かを判別することになり、携帯電話のブラウザー装置のように通信端末に対する広告配信管理サイト装置による顧客識別情報や広告掲載サイト装置識別情報等の付与が通信端末において拒否されており、ＩＰアドレスやブラウザー情報が識別情報として使えない場合であっても、携帯電話のブラウザー装置に固有の識別情報を利用することにより顧客が広告掲載サイト装置を通じて商用サイト装置にアクセスしその顧客自身が商用サイト装置においてトランズアクションをおこしたか否かを的確に確認することができることになる。
【００２９】
また、トラッキングソフトが、商品の購入等のトランズアクション完了時の通信端末識別情報がクリック時に取得した通信端末識別情報群に含まれていることを判断した場合において、該通信端末をもって広告掲載サイト装置の広告を経由して前記商用サイト装置にアクセスしてから特定の時間内にあるか否かをも判別するように設定されていることから、実際に商品等の購入に貢献した広告掲載サイト装置の特定の精度を高めることができることになる。
【００３０】
また、携帯端末に固有の識別情報が使えない場合においても当該広告配信管理サイト装置をもって、第３発明と同様の作用効果を得ることができることになる。
【発明を実施するための最良の形態】
【００３１】
以下、図面を参照して本発明の実施の形態を説明する。図１は本発明に係る一実施形態としての広告配信管理ネットワークシステムの全体構成を示す図である。この図１において、符号１はインターネットを通じたバナー広告の広告配信とその費用管理の運用を代行する代行会社における広告配信広告配信管理サイト（広告配信管理サーバ）、符号２は商用サイト３のバナー広告をホームページに掲載するアフィリエイトサイト、符号３は商品等の販売をインターネット（ＴＣＰ／ＩＰを用いたネットワーク）を通じて行う広告主の商用サイト、符号４は顧客のパーソナルコンピュータ（ＰＣ）などの通信端末（以下、単に顧客４という）を示すことになっている。
【００３２】
先ず、この広告配信管理ネットワークシステムで提供するサービスの概要を説明する。この広告配信管理ネットワークシステムにおいては、上記代行会社が、１以上の商用サイト３との間で広告配信管理とその費用管理の運用代行に関する契約を結び、その契約に基づき、それらの商用サイト３のバナー広告を掲載するアフィリエイトサイト２を多数募集することになっており、アフィリエイトサイト２は広告バナーを掲載するためには上記代行会社が発行する広告バナーのHTMLTAGを自身の広告掲載ページのHTMLにコピー＆ペーストにより貼りこむ。
【００３３】
通常は管理画面等で予め登録されている１以上の広告が固定もしくはローテションにより表示されるが、本発明では、HTMLTAG中に含まれているAIスクリプトが読み込まれる。広告配信広告配信管理サイト１のAIソフトウエアが起動し、広告が掲載されているページのテキスト文を語彙解析する。テキスト文の語彙解析により、１以上のキーワードを抽出し、広告バナーの検索ボックスに表示する。顧客が広告バナーの送信ボタンをクリックすると、商用サイト３の商品検索ＣＧＩに前記キーワードが通知される。前記広告バナー経由して商用サイト３にアクセスしてその商用サイト３においてトランズアクションを行うと、顧客の購入情報などの行為情報は、ネットワークを通じてサービス代行会社が運用する広告配信広告配信管理サイト１（１台または複数台のサーバにより構成されたサーバシステムである）に送られて蓄積される。
【００３４】
広告配信広告配信管理サイト１は、アフィリエイトサイト２の広告掲載ページのテキストを解釈しキーワードを抽出し、広告バナーの検索ボックスに表示するとともに、バナー広告の内容更新など広告の配信管理やアフィリエイトサイト２への広告掲載料の算出・支払い等の管理を行っており、アフィリエイトサイト２へ支払う広告掲載料の計算に関しては、１）商品販売成果の有無にかかわらず単純に掲載期間に対して広告費用の支払いが行われるシステム、２）バナーの表示回数に対して広告費用の支払いが行われるシステム、３）バナーのクリック回数に対して広告費用の支払いが行われるシステム、４）バナーのクリックした後のサイト上でのアクションに基づく成功報酬により広告費用の支払いが行われるシステム、また１）２）３）４）の何れかの組み合わせに基づき広告費用の支払いが行われる。
【００３５】
このような広告配信管理ネットワークシステムを具体的に説明する。顧客４は、そのパーソナルコンピュータ（ＰＣ）などの通信端末内にブラウザを搭載しており、そのブラウザによりインターネットを通じてＷＷＷページが閲覧できることになっている。
【００３６】
アフィリエイトサイト２は、ＷＷＷページ〔ハイパーリンク（他のドキュメントへの参照ポインタ）が埋め込まれているもの〕を提示できるＷＷＷサーバを備えており、そのＷＷＷページのHTML記述には本発明のHTMLTAGが含まれている。このHTMLTAGには、広告が掲載されているページのテキストを解釈するためのＡＩスクリプトが含まれている。  ユーザーが広告掲載ページにアクセスし表示要求が行われると、TAG中のＡＩスクリプトにより、広告配信管理サイト１に広告掲載ページのURLが通知される。広告配信管理サイト１は通知されたURLに記述されているテキストを読み込み語彙解析を行う。
【００３７】
広告配信広告配信管理サイト１は語彙解析によりキーワードを抽出し、広告バナーの検索ボックスに表示する。本バナー広告には、広告配信管理サイト１を経て商用サイト３にリンク（リダイレクト）するためのＵＲＬが埋め込まれている。そのＵＲＬには、Query String（ＵＲＬ中の？マーク以降の欄）にアフィリエイトサイトＩＤ、バナーＩＤ等が当該アフィリエイトサイト２によって付けられている。
【００３８】
商用サイト（１台または複数台のサーバにより構成されたサーバシステムである）３は、オンライン上で自社の商品販売を行うＷＷＷページを掲載できる商用サイトＷＷＷサーバを備えている。また、商品検索を行うためのＣＧＩ等のプログラムを含んでいる。このＷＷＷサーバにおけるＷＷＷページは、商品購入等のトランズアクション表示ページを含み、そのトランズアクション表示ページには、顧客４の最終的な購入意思確認を行うためのボタンが表示されることになっており、その購入ボタンをクリックされトランズアクションが発生することにより、トランズクアクションファイルが自動的に生成されることになっている。
【００３９】
広告配信管理サイト１は、この広告配信管理ネットワークシステムの中心的機能を果たすコンピュータシステム（マスターサーバシステム）であり、この広告配信管理サイト１は、商用サイト３、顧客４に対してインターネット５などの通信回線を通じて接続されている。
【００４０】
この広告配信管理サイト１は、広告主たる商用サイト３の依頼要求（例えば広告掲載したいアフィリエイトサイトの種別、広告掲載を希望するキーワード、広告報酬、掲載期間などの条件）と、サービス代行会社運用システムの加盟店となっている各アフィリエイトサイト２が指定した広告掲載承諾の指定条件（例えばどの商用サイトの広告を掲載するかなどの条件）と掲載されているWEBページの内容に基づいて抽出されたキーワードを広告バナーの検索ボックスに表示する。
【００４１】
ユーザーが広告掲載ページにアクセスし表示要求を行うと、広告が掲載されているページに記述されている広告バナーのHTMLTAGが読み込まれ、TAGに含まれているスクリプトにより、広告配信管理サイト１に広告掲載ページのURLが通知される。広告配信管理サイト１は、通知されたURLに記述されているテキストを読み込み語彙解析を行う。広告配信管理サイト１は語彙解析によりキーワードを抽出し、キーワードを広告バナーの検索ボックスに表示して、アフィリエイトサイト２に配信する。
【００４２】
図５は、アフィリエイトサイト２が花に関するホームページであり、その記述には、花に関するテキストが記述されており、同ＨＴＭＬ中に貼り込まれた、広告バナーのＨＴＭＬＴＡＧ中ののＡＩスクリプトがテキストに記述されている、バラ、ユリ、ラン等のキーワードを抽出し、バラ、ユリ、ランが検索ボックスに表示された事例を示してしる。花に関するホームページに関連するキーワードが選択表示されたことにより、直接キーワードの検索結果のページが表示されることにより、サイトビジターの関心と合致することより、クリック率ならびに成約率が向上すると推測される。
【００４３】
図６は、バラ、ユリ、ランが検索ボックスに表され、キーワードの通知先の商用サイトが複数あり顧客がプルダウンにより選択できる事例を示してしる。顧客がキーワードの通知先を複数の候補より選択されることより、直接選択された商用サイトのキーワードの検索結果のページが表示されることにより、サイトビジターの関心とさらに合致することより、クリック率ならびに成約率が向上すると推測される。
【００４４】
また、商用サイト３は、図４に示すように、クッキー作成モジュール１１と、クッキー取得モジュール１２と、通信情報取得モジュール１３と、保存モジュール１４とを有する。クッキー作成モジュール１１は、一般的なＷＷＷサーバが通常に搭載しているモジュールであるが、ここでは、商用サイト３に搭載されているものとする。この広告配信管理サイト１におけるクッキー作成モジュール１１は、顧客４がアフィリエイトサイト２のバナー広告をクリックして、インターネットを通じて該顧客４と商用サイト３との間の通信が成立したとき、顧客４のパソコンのローカルディスクのクッキー格納場所に新たなクッキーフォルダを作成し、そのクッキーフォルダ内に、顧客識別のためのＩＤと共に、経由アフィリエイトサイトＩＤ、商用サイトＩＤ、バナーＩＤ、セッション開始日時（タイムスタンプ）等を保存する機能を有するモジュールである。勿論この場合、顧客４のクッキーはＯＮとされていることが条件となる。
【００４５】
クッキー取得モジュール１２も、一般的なＷＷＷサーバが通常に搭載しているモジュールであるが、商用サイト３におけるクッキー作成モジュール１１は、顧客４に対して商用サイト３が商品購入確認等、トランズアクションが完了したときに、顧客４のクッキーフォルダにアクセスして、その中の顧客識別のためのＩＤと共に、経由アフィリエイトサイトＩＤ、バナーＩＤ、セッション開始日時（タイムスタンプ）等を取込む機能を有している。勿論この場合も、顧客４のクッキーがＯＮとされていることが条件となる。
【００４６】
本例ではこのクッキー作成モジュール１１とクッキー取得モジュール１２は商用サイト３にインストールされていることとなっているが、商用サイトにリンクされた別のサーバにインストールされていてもかまわないし、商用サイトとリンクされた広告配信管理サイト１にインストールされていても構わない。
【００４７】
通信情報取得モジュール１３は、インターネットを通じて顧客４と商用サイト３との間の通信（パケット通信）が成立したとき、商用サイト３が、顧客のＩＰアドレス及びPROXYサーバ情報,ブラウザーのソフトウェア情報等を取込む機能であり、この通信情報取得モジュール１３は、顧客４がバナー広告をクリックして顧客４と商用サイト３との通信関係が成立したとき、商用サイト３における商品購入確認等トランズアクションが完了したときに、その機能を発揮することになっている。
【００４８】
なお、顧客４がバナー広告をクリックした場合においては、ＵＲＬに付されている経由アフィリエイトサイトＩＤ、バナーＩＤ、セッション開始日時（タイムスタンプ）等も一緒に取り込まれることになっている。また、本実施形態においては、通信情報取得モジュール１３は、顧客４のクッキーがＯＦＦとされていることを条件に機能することになっているが、勿論、顧客４のクッキーがＯＮ，ＯＦＦに関わらず、機能させてもよい。
【００４９】
本例ではこの通信情報取り込みモジュール１３は商用サイト３にインストールされていることとなっているが、商用サイトにリンクされた別のサーバにインストールされていてもかまわないし、商用サイト３とリンクされた広告配信管理サイト１にインストールされていても構わない。
【００５０】
通信端末識別情報取得モジュール１５は、インターネットを通じて顧客４と商用サイト３との間の通信（パケット通信）が成立したとき、商用サイト３が、顧客の携帯電話端末等の通信端末識別情報等を取込む機能であり、この通信端末識別情報取得モジュール１５は、顧客４がバナー広告をクリックして顧客４と商用サイト３との通信関係が成立したとき、商用サイト３における商品購入確認等トランズアクションが完了したときに、その機能を発揮することになっている。
【００５１】
本例ではこの通信情報取得モジュール１３は商用サイト３にインストールされていることとなっているが、商用サイトにリンクされた別のサーバにインストールされていてもかまわないし、商用サイトとリンクされた広告配信広告配信管理サイト１にインストールされていても構わない。
【００５２】
一方、広告配信管理サイト１は広告識別情報通知モジュールを実装している。この広告識別情報通知モジュールは、インターネットを通じて顧客４と商用サイト３との間の通信（パケット通信）が成立したととき、広告配信管理サイト１が、商用サイト３に広告識別情報通知する機能を受け持っている。この広告識別情報通知モジュール１５は、顧客４がバナー広告をクリックして顧客４と商用サイト３との通信関係が成立したときに、その機能を発揮することになっている。
【００５３】
広告識別情報取得モジュール１６、は顧客４がバナー広告をクリックして顧客４と商用サイト３との通信関係が成立したとき、広告識別情報通知モジュールより商用サイト３に通知された広告識別情報をセッション情報、URLの一部として保持して、この商用サイト３における顧客４に対して商用サイト３が商品購入確認など、トランズアクションが完了したときに、広告識別情報を取込む機能を有している。
【００５４】
保存モジュール１４は、前記トランズアクション完了に伴う売上情報、前記クッキー取得モジュール１２の取り込み情報、前記通信情報取得モジュール１３、前記通信端末識別情報取得モジュール１５、前記広告識別情報取得モジュール１６取り込み・取得情報を保存する機能を有している。
【００５５】
データ送信モジュール１８は、トランズアクション完了する都度もしくは日時処理等定期的に、広告配信管理サイト１にトラッキングデータを通信する機能を有している。
【００５６】
さらに、商用サイト３には、トラッキングソフトがインストール（ハードディスクへの組み込み）されている。このトラッキングソフトは、アフィリエイトサイトＩＤなどの情報、売上情報等を収集しテキストファイルに書き込むまでの処理を行うとともに、商用サイト３より送信された、クッキーの取得情報若しくは通信情報としてのＩＰアドレスなど、端末識別情報、広告識別情報に基づき、実際に商品等の購入に貢献したアフィリエイトサイト２を判別する機能を有している。
【００５７】
広告配信管理サイト１には、広告配信管理ソフトがインストールされトラッキングソフトの各種処理データ、商用サイト３から通信された売上情報等を売上ファイル（テキストファイル）に書き込む（蓄積する）機能や、それをデータベース１７に格納処理する機能などを有している。
【００５８】
さらに図１に示すように、広告配信管理サイト１には、語彙解析ソフト(ＡＩソフト）がインストール（ハードディスクへの組み込み）されている。この語彙解析ソフト（ＡＩソフト）は、広告掲載ページの語彙他の内容を解析しキーワードを抽出し、抽出したキーワードにマッチする広告（テキスト・画像・動画・音声・バーコード・その他一切のクリエイティブならびにその組み合わせ）を選択する機能等を有している。
【００５９】
この他、広告配信管理サイト１内には、広告配信管理ソフトがインストールされており、これらと上記トラッキングソフトと語彙解析ソフト（ＡＩソフト）が連携して、各種データベース１７の管理（追加、削除、変更、加工等）、アフィリエイトサイト２に支払う成功報酬としての広告掲載料金の算定、報告書作成、指定された口座への広告掲載料金の振込等のアフィリエイトサイト２に関する管理を行うことになっている。
【００６０】
なお、図１の例では、アフィリエイトサイト２、商用サイト３、顧客４はそれぞれ１つずつが示されているが、実際にはそれぞれ複数のサイトがこのシステムに存在する。
【００６１】
次に、上記実施形態に係るシステムの動作を、図２、図３に示すフローチャートに基づいて具体的に説明する。尚、図２、図３において、Ｓはステップを示す。
【００６２】
顧客４が、アフィリエイトサイト２にアクセスすると（S1)、そのアフィリエイトサイト２のホームページ（ＨＴＭＬコードにより記述されたＷＷＷページ）の画像やテキストが顧客４に送り込まれ、そのＷＷＷページ（すなわちホームページ）に記述された広告バナーのHTMLTAGに含まれているAIスクリプトが読み込まれる。（S２)、広告掲載されているＷＷＷページのURLが広告配信管理サイト１に通知され（S３)、広告配信管理サイト１のAIモジュールは通知されたURLのテキストの語彙解析を行い（S4)、キーワード抽出する(S５)。広告配信管理サイト１は事前に抽出したキーワードを広告バナーの検索ボックスに表示して配信し(S６)、キーワードの通知先商用サイトが複数の場合は、顧客が通知先商用サイト３を選択する（Ｓ７）。このバナー広告にはリンク先のＵＲＬが埋め込まれており、このバナー広告の送信ボタンをクリック(S８)することを条件に、そのＵＲＬに基づき、顧客４は、広告配信広告配信管理サイト１を経由(S９)して商用サイト３にキーワードを通知し（Ｓ１０）、キーワードの検索結果ページにアクセス（リダイレクト）することになる（Ｓ１１）。
【００６３】
顧客４が広告配信管理サイト１にアクセスしている間においては（Ｓ１８〜Ｓ３４）、広告配信管理サイト１は、顧客４のクッキーがＯＦＦか否かを判別することになり（Ｓ１１）、クッキーがＯＮであるときには、商用サイト３は、クッキー作成モジュール１１により、インターネットを通じて顧客４のローカルディスクのクッキー格納場所に新たなクッキーフォルダーを作成し、そのクッキーフォルダ内に、顧客識別のためのＩＤと共に、経由アフィリエイトサイトＩＤ、サイトＩＤ、バナーＩＤ、セッション開始日時（タイムスタンプ）等（アフィリエイトサイト２においてＵＲＬに付された内容）を保存する（Ｓ１５）。一方、商用サイト３（通信情報取得モジュール１３）は、顧客４のクッキーがＯＦＦであるときには、その商用サイト３内部（保存モジュール１４）に、インターネットを通じて顧客のＩＰアドレス及びブラウザのバージョン情報を、顧客識別のためのＩＤ、経由アフィリエイトサイトＩＤ、サイトＩＤ、バナーＩＤ、セッション開始日時（タイムスタンプ）等と一緒に保存する（Ｓ１６）。
【００６４】
顧客４が、広告配信管理サイト１を経て商用サイト３にアクセスしたときには、ＷＷＷページが表示される（Ｓ14）。このＷＷＷページ上においては、オンラインショッピングでの、顧客４の最終的な購入意思確認を行うためのボタンが表示されることになっており、その購入ボタンをクリックされトランズアクションが発生する。（Ｓ１９、Ｓ２０）。
【００６５】
上記トランズアクションが発生すると、それを条件に、商用サイト３にインストールされているトラッキングソフトが起動される。
【００６６】
また同時に、顧客４の商用サイト３へのアクセスに伴い、商用サイト３は、顧客４のクッキーがＯＦＦか否かを判別し、クッキーがＯＮであることを条件に、商用サイト３（クッキー取得モジュール１２）は、インターネットを通じて顧客４のクッキーフォルダにアクセスし、先に保存していた顧客識別のためのＩＤ、経由アフィリエイトサイトＩＤ、サイトＩＤ、バナーＩＤ、セッション開始日時等を取得し、該取引の売上げ情報と一緒にして、保存モジュール１４にログ情報として保存する。そして、商用サイト３（トラッキングソフト）が、経由アフィリエイトサイトＩＤの存在を確認することを条件に、商品等の購入に貢献したアフィリエイトサイト２を確認することになり（Ｓ２９、Ｓ３４）、その内容が広告配信管理サイト１にデータ送信にされ（Ｓ３５）、この後、その売上実績に応じた対価を計算して、当該顧客４が経由してきたアフィリエイトサイト２に広告掲載料の形で支払われる。このため、直接、商用サイト３にアクセスしたような場合には、アフィリエイトサイト２を経由して商用サイト３にアクセスした顧客とは判断されない（Ｓ２９３のＮＯ参照）。
【００６７】
一方、顧客４のクッキーがＯＦＦであるときには、商用サイト３が、インターネットを通じて再度ＩＤアドレスとブラウザのバージョン情報を収集するとともに（Ｓ１３）、商用サイト３（保存モジュール１４）が保存している先のＩＰアドレス等（Ｓ１６）を読み出す（Ｓ２６）。そして、トラッキングソフト７は、その両者のＩＰアドレス等のマッチングを行い、Ｓ２６のＩＰアドレス等と同じＩＰアドレス等が、商用サイト３が保存していたものの中にあると共に、バナー広告クリックから現時点までの時間が特定時間内（例えば１時間以内）にあることを条件に、商品等の購入に貢献したアフィリエイトサイト２を確認することになる（Ｓ２６、Ｓ３０、Ｓ３２）。このため、Ｓ２６のＩＰアドレス等と同じＩＰアドレス等が、広告配信管理サイト１が保存したものの中に存在しない場合、バナー広告クリックから現時点までの時間が特定時間外にあるときには、実際に商品等を購入した顧客４が、アフィリエイトサイト２を経由して商用サイトにアクセスした顧客とは判断されない（Ｓ３０、Ｓ３２のＮＯ参照）。
【００６８】
顧客４の通信端末が携帯電話等でクッキーがＯＦＦであり通信端末識別情報が取得できないときには、商用サイト３が、インターネットを通じて再度通信端末識別情報を収集すると共に（Ｓ２７）、商用サイト３（保存モジュール１４）が保存している先の通信端末識別情報を読み出す（Ｓ３１）。そして、トラッキングソフト７は、その両者のマッチングを行い、Ｓ２７の通信端末識別情報が、商用サイト３が保存していたものの中にあると共に、バナー広告クリックから現時点までの時間が特定時間内（例えば１時間以内）にあることを条件に、商品等の購入に貢献したアフィリエイトサイト２を確認することになる（Ｓ２７、Ｓ３１、Ｓ３３）。このため、Ｓ２７の通信端末識別情報が、広告配信管理サイト１が保存したものの中に存在しない場合、バナー広告クリックから現時点までの時間が特定時間外にあるときには、実際に商品等を購入した顧客４が、アフィリエイトサイト２を経由して商用サイトにアクセスした顧客とは判断されない（Ｓ３１、Ｓ３３のＮＯ参照）。
【００６９】
顧客４の通信端末が携帯電話等でクッキーがＯＦＦであり通信端末識別情報が取得できないきには、商用サイト３が、通知された広告識別情報をセッションキーやＵＲＬ一部として保持する。（Ｓ２８）。そして、トラッキングソフト７は、その広告識別情報がセッションキーかＵＲＬに含まれていることを条件に、商品等の購入に貢献したアフィリエイトサイト２を確認することになる。このため、Ｓ２８の広告識別情報が、広告配信管理サイト１が保存したものの中に存在しない場合、セッションキーかＵＲＬが含まれていないときには、実際に商品等を購入した顧客４が、アフィリエイトサイト２を経由して商用サイトにアクセスした顧客とは判断されない。
【００７０】
さらに、クッキー情報だけでなく、ＩＰアドレスマッチング、端末識別情報マッチング、広告識別情報マッチングの併用により、顧客がアフィリエイトサイト２を通じて商用サイト３にアクセスしその顧客自身が商用サイト３の提供する商品等を実際に購入したか否かの判断の精度を高めることができることになる。
【００７１】
上記実施形態においては、トラッキングソフトは商用サイト３にインストールされることしているが、商用サイト３にリンクされた別のサーバもしくは広告配信管理サイト１にインストールされていてもよい。
【００７２】
上記実施形態においては、語彙解析ソフトは広告配信管理サイト１にインストールされることとしているが、別サーバもしくは商用サイト３にインストールされていてもよい。
【図面の簡単な説明】
【００７３】
【図１】この発明の一実施例による広告配信管理ネットワークシステムの構成図である。
【図２】同上実施例システムの動作説明用のフローチャートその１である。
【図３】同上実施例システムの動作説明用のフローチャートその２である。
【図４】同上実施例システムにおける商用サイトの機能ブロック図である。
【図５】同上実施例システムによる顧客パソコンの表示画面の例その１である。
【図６】同上実施例システムによる顧客パソコンの表示画面の例その２である。
【符号の説明】
【００７４】
１  広告配信管理サイト
２  アフィリエイトサイト
３  商用サイト
４  顧客パソコン
【図１】
2005242753.tif 000003
【図２】
2005242753.tif 000004
【図３】
2005242753.tif 000005
【図４】
2005242753.tif 000006
【図５】
2005242753.tif 000007
【図６】
2005242753.tif 000008